(57)【要約】【課題】本発明は、受け側としてＵＳＢコネクタを備える筺体にＵＳＢ形状の無線通信器の抜け落ちを防止する機構を備えたコントローラを提供すること。【解決手段】本発明は、無線通信器１０３を接続することで、電気機器と通信する無線方式を追加するコントローラ１０である。コントローラ１０は、電気機器と通信する通信回路基板と、通信回路基板を包含する筺体１１とを備える。筺体１１は、無線通信器１０３が挿入されるポートを露出するポート孔１３を備えると共に、無線通信器１０３を包含する切りかけ部２０を備える。【選択図】図２
2017069685.tif 000002
【特許請求の範囲】
【請求項１】
無線通信器を接続することで、
電気機器と通信する無線方式を追加するコントローラであって、
前記電気機器と通信する通信回路基板と、
前記通信回路基板を収容する筺体と、
を備え、
前記筺体は、前記無線通信器が挿入されるポートを露出するポート孔を備えると共に、
前記無線通信器を包含する切りかけ部を備えるコントローラ。
【請求項２】
請求項１に記載のコントローラにおいて、
前記切りかけ部は、
前記ポートに前記無線通信器を差し込んだとき、
前記無線通信器の２面が対向する面に開口部を備えるコントローラ。
【請求項３】
請求項１に記載のコントローラにおいて、
前記切りかけ部は、
前記ポート孔に前記無線通信器を差し込んだとき、
前記無線通信器の３面が対向する面に開口部を備えるコントローラ。
【請求項４】
請求項１に記載のコントローラにおいて、
前記切りかけ部は、
前記ポート孔に前記無線通信器を差し込んだとき、
前記無線通信器の１面が対向する面に開口部を備えるコントローラ。
【請求項５】
請求項１乃至４のいずれか一項に記載のコントローラにおいて、
前記切りかけ部は、
前記開口部を覆うカバーを備えることを特徴とするコントローラ。
【発明の詳細な説明】
【技術分野】
【０００１】
本発明は、コントローラにＵＳＢメモリ形状の無線通信器を差し込むことで、電気機器と通信する無線方式を追加するコントローラに関するものである。
【背景技術】
【０００２】
近年、ＨＥＭＳコントローラのように電気機器と通信するコントローラがある。このようなコントローラへの無線方式の搭載方法としては、必要な無線方式だけを後からコントローラにＵＳＢメモリ形状の無線通信器を差し込むことで追加する方法が考えられる。
従来のＵＳＢメモリ形状の無線通信器は、受け側としてＵＳＢポート側に設けられた山形状のロック片を、無線通信器のコネクタに形成された孔部に係合させる係止構造であった。このため、係止力が比較的弱く、無線通信器側に振動や外力が作用すると、係合が解除されて抜ける虞があった。
【０００３】
上述した問題の対策として、特許文献１には、無線通信器のコネクタにキャップを用いて受け側としてＵＳＢポートとの抜けを防止するようにしたコネクタの抜け防止機構が提案されている。この文献では、無線通信器のコネクタを樹脂成形部品のキャップ内に嵌め込んで收容すると共に、キャップに設けられた爪部を受け側としてＵＳＢポートを備える筺体の孔に係合させて固定する抜け防止構造が提案されている。
【先行技術文献】
【特許文献】
【０００４】
【特許文献１】特開２００１−１３５４１３号公報
【発明の概要】
【発明が解決しようとする課題】
【０００５】
しかしながら、コネクタの抜け防止構造が設けられていない従来のＵＳＢメモリ形状の無線通信器は、コネクタに振動や外力が作用すると、容易に抜けてしまう虞がある。
本発明は、前記の問題点に鑑みてなされたものであり、その目的とするところは、受け側としてＵＳＢポートを備えるコントローラの筺体側にＵＳＢメモリ形状の無線通信器の抜け落ちを防止する機構を備えたコントローラを提供することである。
【課題を解決するための手段】
【０００６】
本発明は、無線通信器を接続することで、電気機器と通信する無線方式を追加するコントローラである。コントローラは、電気機器と通信する通信回路基板と、通信回路基板を収容する筺体とを備える。筺体は、無線通信器が挿入されるポートを露出するポート孔を備えると共に、無線通信器を包含する切りかけ部を備える。
【発明の効果】
【０００７】
本発明は、受け側としてＵＳＢポートを備える筺体にＵＳＢメモリ形状の無線通信器の抜け落ちを防止する機構を備えたコントローラを提供することである。
【図面の簡単な説明】
【０００８】
【図１】本発明の実施形態に係るコントローラを含むシステム構成図。
【図２】本発明の実施形態に係る２方向に開口部を備える切りかけ部を備えるコントローラの構成図。
【図３】本発明の実施形態に係る３方向に開口部を備える切りかけ部を備えるコントローラの構成図。
【図４】本発明の実施形態に係る１方向に開口部を備える切りかけ部を備えるコントローラの全体構成図。
【図５】（ａ）本発明の実施形態に係る２方向に開口部を備える切りかけ部のカバー構成図。（ｂ）本発明の実施形態に係る３方向に開口部を備える切りかけ部のカバー構成図。（ｃ）本発明の実施形態に係る１方向に開口部を備える切りかけ部のカバー構成図。
【発明を実施するための形態】
【０００９】
（第一の実施形態）
本発明の一実施形態に係るコントローラ１０は、図１に示すように、宅内において、宅内通信網ＮＴ１（有線通信ＣＬ１や無線通信ＣＬ２）と、インターネットのような電気通信回線ＮＴ２との間に介在する。コントローラ１０は、有線通信ＣＬ１や無線通信ＣＬ２で電気機器１０１と通信し、電気通信回線ＮＴ２を通して上位装置１００と通信する装置である。上位装置１００は、たとえば、住宅への電力供給に関するサービスを行う事業者が保有するサーバなどを意味する。電気機器１０１は、空調装置や照明装置、給湯器、蓄電装置などを示す。
【００１０】
コントローラ１０は、住宅に節電を要求するためのＤＲ情報（ＤＲ：Ｄｅｍａｎｄ Ｒｅｓｐｏｎｓｅ）を上位装置１００から電気通信回線ＮＴ２を通して受信すると、ＤＲ情報を受け入れ、宅内通信網ＮＴ１（有線通信ＣＬ１や無線通信ＣＬ２）を介して電気機器１０１の消費電力を管理する機能を果たす装置である。つまりコントローラ１０は、有線通信ＣＬ１や無線通信ＣＬ２を介して上位装置１００や電気機器１０１と通信する構成を有する。無線通信ＣＬ２で電気機器１０１との通信を実現する手段としては、図２に示すように、ＵＳＢメモリ形状の無線通信器１０３をコントローラ１０に接続することで、無線方式をコントローラ１０に追加する対策がとられている。無線通信器１０３は、図２に示すように、特定無線で送受信する通信部を収容する本体１０４と、コントローラ１０と接続するコネクタ１０５とで構成される。
【００１１】
以下、コントローラ１０の構成について説明する。図２に示すように、コントローラ１０は、通信回路基板（不図示）と、それを収容する筺体１１とを備える。
【００１２】
通信回路基板には、コントローラ１０の制御機能を担うＣＰＵに加え、コネクタ１０５を接続する受け側としてのポートを搭載する。筺体１１は、電源の起動状態、例えばオンオフを表示する表示部１２と、無線通信器１０３のコネクタ１０５を挿入するポートの挿入口を露出させるポート孔１３を備える。このポート孔１３から露出したポートに無線通信器１０３のコネクタ１０５を接続することで、コントローラ１０は、無線ＣＬ２を用いて電気機器１０１と通信ができるようになる。つまり、上位装置１００からの信号を電気通信回路ＮＴ２を介して通信回路基板のＣＰＵに出力し、電気機器１０１に対する制御信号を構築する。そして、制御信号を無線通信器１０３を介して電気機器１０１に出力し、電気機器１０１を制御するシステムが実現する。
【００１３】
コントローラ１０は、無線通信器１０３をコントローラ１０に差し込んだとき、無線通信器１０３を筺体１１の内部に包含して設置する構成である。ここで包含とは、後述の切りかけ部（２０，３０，４０）よりも大きく平面形状のものを無線通信器１０３に接触させようとした場合、平面が筺体１１に先に当たり、無線通信器１０３に触れないことを意味する。これにより、無線通信器１０３が外部物体から衝撃を直接受けにくくする。
【００１４】
筺体１１は、無線通信器１０３を包含する構成として、切りかけ部（２０、３０、４０）を備える。以下、切りかけ部（２０、３０、４０）を備える筺体１１の構造説明を行う。本実施形態では、筺体１１は表示部１２を備える面を前面として全６面の略直方体で構成されている場合を例に説明を行う。だたし、筺体１１の構造は、直方体を限定するもの
ではなく、面と面との境目をシームレス構造にしても、大きな面をカーブさせて構成しても良いものとする。
【００１５】
図２を参照して、無線通信器１０３の本体１０４を構成する面のうち、２方向に開口部を備える切りかけ部２０を説明する。例えば、切りかけ部２０は、前面に対して右側面の略中央部に位置する。切りかけ部２０は、コントローラ１０を宅内に設置する際の設置面と面対象位置となる第１切りかけ壁２１と、前面と面対象位置にある２つの第２切りかけ壁２２と、左側面と面対象位置にある第３切りかけ壁２３とで形成される。また、天井に面する天井面のうち第１切りかけ壁２１および面対象部分および右側面のうち第３切りかけ壁２３および面対象部分の２面に開口部を形成する。切りかけ部２０は、４つの切りかけ壁と２つの開口部に囲まれて構成される。第１切りかけ壁２１はポート孔１３を備える。無線通信器１０３は、コネクタ１０５をこのポート孔１３から露出したポートに挿入されることで、本体１０４およびコネクタ１０５をこの切りかけ部２０に包含される。
【００１６】
通信回路基板は、例えば、受け側としてのポートを備えるポート基板と、コントローラ１０の制御機能を担うＣＰＵを備えるメイン基板とで構成される。この場合、メイン基板の下端に、ポート基板を面平行に搭載する。メイン基板とポート基板は、垂直形状のボートＴＯボートコネクタを介すことで一体とすることが考えられる。ただし、通信回路基板の構成については、これに限らないものとする。
【００１７】
この構成は、２つの開口部のうち１つの開口部から、無線通信器１０３を抜き差しができる構成となる。よって、切りかけ部２０の体積を、無線通信器１０３の本体１０４とほぼ同じ大きさにでき、切りかけ部２０の体積を最小限にでき、コントローラ１０の大きさを小型化することができる。
【００１８】
また、切りかけ部２０の天井面、前面、後面、側面から平面の物体を近づけたとしても、切りかけ部２０周囲の筺体１１に平面が接触し、内部に包含する無線通信器１０３と平面が接触しなくなる。つまり、外部物体とのぶつかりによる無線通信器１０３の抜け落ちを防ぐ効果が期待できる。
【００１９】
図２では、切りかけ部２０が右側面にある場合の説明を行ったが、切りかけ部２０の位置を限定するものではない。切りかけ部２０が左側面にあっても、後面にあってもよいものとする。
【００２０】
次に、図３を参照して、無線通信器１０３の本体１０４を構成する面のうち、３方向に開口部を備える切りかけ部３０を説明する。例えば、切りかけ部３０は、前面に対して後面に位置する。
【００２１】
切りかけ部３０は、設置面もしくは天井面と面対象位置となる２つの第４切りかけ壁３１と、前面と面対象位置となる第５切りかけ壁３２とで構成される。また、後面のうちで第５切り替え壁３２の面対象部分と、右側面と左側面のうちで第４切りかけ壁３１の辺と接する部分は、開口部を形成する。これより、切りかけ部３０は、３つの切りかけ壁と３つの開口部とで構成される。第４切りかけ壁３１の一方にポート孔１３を備える。無線通信器１０３は、コネクタ１０５をこのポート孔１３から露出したポートに挿入されることで、本体１０４およびコネクタ１０５をこの切りかけ部３０に包含される。
【００２２】
通信回路基板は、例えば、受け側としてポートを備えるポート基板と、コントローラ１０の制御機能を担うＣＰＵを備えるメイン基板とで構成される。この場合、メイン基板の下端に、ポート基板を垂直面になるよう搭載する。メイン基板とポート基板は、垂直形状のボートＴＯボートコネクタとＬ字状形状のボートＴＯボートコネクタを介すことで一体
とすることが考えられる。だたし、通信回路基板の構成については、これに限らないものとする。
【００２３】
この構成は、３つの開口部のうち対向する２面の開口部で、無線通信器１０３の本体をつかめる形状となり、無線通信器１０３の抜き差しがしやすくなる。また、この構成により、切りかけ部３０の体積を無線通信器１０３の本体１０４およびコネクタ１０５とほぼ同じ大きさにできる。
【００２４】
更には、切りかけ部３０の天井面、前面、後面、側面から平面の物体を近づけたとしても、切りかけ部３０周囲の筺体１１に平面が接触し、内部に包含する無線通信器１０３と平面が接触しなくなる。つまり、外部物体とのぶつかりによる無線通信器１０３の抜け落ちを防ぐ効果が期待できる。
【００２５】
図３では、切りかけ部３０が後面にある場合の説明を行ったが、切りかけ部３０の位置を限定するものではない。切りかけ部３０が左側面にあっても、右側面にあってもよいものとする。
【００２６】
次に、図４を参照して、無線通信器１０３の本体１０４を構成する面のうち、１方向に開口部を備える切りかけ部４０を説明する。切りかけ部４０は、前面に対して右側面の略中央部に位置する。切りかけ部４０は、コントローラ１０を宅内に設置する際の設置面もしくは天井面と面対象位置となる２つの第６切りかけ壁４１および前面もしくは後ろ面と面対象位置にある２つの第７切りかけ壁４２および左側面と面対象位置にある第８切りかけ壁４３とで形成される。また、右側面のうち第８切りかけ壁４３と面対象部分に開口部を形成する。切りかけ部４０は、５つの切りかけ壁と１つの開口部分に囲まれて構成される。第７切りかけ壁４２はポート孔１３を備える。無線通信器１０３は、コネクタ１０５をこのポート孔１３から露出したポートに挿入されることで、本体１０４およびコネクタ１０５をこの切りかけ部４０に包含される。
【００２７】
通信回路基板は、例えば、受け側としてのポートを備えるポート基板と、コントローラ１０の制御機能を担うＣＰＵを備えるメイン基板とで構成される。この場合、メイン基板の下端に、ポート基板を面並行に搭載する。メイン基板とポート基板は、垂直形状のボートＴＯボートコネクタを介して一体とすることが考えられる。だたし、通信回路基板の構成については、これに限らないものとする。
【００２８】
この構成は、開口部が１面のみの形状となる。このため、切りかけ部４０の体積は、無線通信器１０３の本体１０４およびコネクタ１０５に加え、抜き差しのため無線通信器１０３の本体１０４をつかめる空間が別途必要となる。切りかけ部４０の体積が大きくなるが、開口部が１面のみであるため、抜け落ちのリスクは図２、図３の構成よりも小さい。
【００２９】
また、切りかけ部４０の天井面、前面、後面、側面から平面の物体を近づけたとしても、切りかけ部４０周囲の筺体１１に平面が接触し、内部に包含する無線通信器１０３と平面が接触しなくなる。つまり、外部物体とのぶつかりによる無線通信器１０３の抜け落ちを防ぐ効果が期待できる。
【００３０】
図４では、切りかけ部４０が右側面にある場合の説明を行ったが、切りかけ部４０の位置を限定するものではない。切りかけ部４０が左側面にあっても、後面にあってもよいものとする。
【００３１】
図５（ａ）（ｂ）（ｃ）に示すように、切りかけ部（２０、３０、４０）にカバー（２５、３５、４５）を設けてもよい。図５（ａ）の構成におけるカバー２５については、上
面と右側面の開口部の表面を覆うＬ字型のカバーとなる。筺体の右側面の空洞表面については、空洞表面と右側面との境目部分に凹部を設け、右側面の空洞表面を覆うカバー２５に凸部を儲け、係合させることで結合する構成とする。図５（ｂ）の構成におけるカバー３５については、後面と右側面、左側面の開口部を覆う断面コ字状のカバーとなる。結合構造については、図５（ａ）のカバー２５と同様に凹部および凸部を備え、結合させることが考えられる。図５（ｃ）の構成におけるカバー４５については、右側面の開口部を覆う平面のカバー４５となる。結合構造については、開口部の１辺に蝶番をもうける開閉構造にすることが考えられる。
【００３２】
これらカバーにより、さらに外部物体とのぶつかりによる無線通信器１０３の抜け落ちを防ぐ効果が期待できる。
【００３３】
本実施形態では、筺体１１が直方体の場合を例示して説明したが、これに限らない。球状の筺体に切りかけ部を備える構造でもよい。
【符号の説明】
【００３４】
１０  コントローラ
１１  筺体
１３  ポート孔
２０  切りかけ部
３０  切りかけ部
４０  切りかけ部
２５  カバー
３５  カバー
４５  カバー
１０１  電気機器
１０３  無線通信器
【図１】
2017069685.tif 000003
【図２】
2017069685.tif 000004
【図３】
2017069685.tif 000005
【図４】
2017069685.tif 000006
【図５】
2017069685.tif 000007